(57)【要約】【課題】中空の筒状拡声管からなるメガホンを、完全なフリーハンド状態で人体に携行できるようにする。【解決手段】中空の筒状拡声管を、その外形が人体の胴部にフィットするように半円弧状に湾曲させたことを特徴とするハンズフリーメガホン。【選択図】図１
0003124424.tif 000002
【実用新案登録請求の範囲】
【請求項１】
一方側に音声発信部を他方側に先広がりの音声放射部を備えた中空の筒状拡声管を、その外形が人体の胴部にフィットするように半円弧状に湾曲させた形状としたことを特徴とするハンズフリーメガホン
【請求項２】
前記筒状拡声管の音声放射部の周縁を、容易に変形する柔軟な部材で構成したことを特徴とする請求項１に記載のハンズフリーメガホン
【請求項３】
前記拡声管の外側に、音声信号の入力端子、増幅・制御回路及びこれらの電源部を収容した制御ボックス部を装備したことを特徴とする請求項１または２に記載のハンズフリーメガホン
【請求項４】
中空の筒状拡声管をその長さ方向に沿って半円弧状に湾曲させてなるハンズフリーメガホンと、頭部に装着するヘッドセット型マイクロホンとを組み合わせてなるハンズフリー拡声装置の組み合わせセット
【考案の詳細な説明】
【技術分野】
【０００１】
この考案は、学校や幼稚園その他各種講演会・集会などで使用される携帯型のメガホンに関するもので、特に両手を開放した状態で音声を広い範囲に伝達することができる新しいタイプのハンズフリーメガホンに関する。
【背景技術】
【０００２】
一般にメガホンは、一端部から吹き込んだ音声をラッパ状の拡声管で拡大して広い範囲に伝達するようになっており、通常はこれを手で持って使用する。勿論この種拡声管には、直接音声を吹き込む代わりに、一端に振動板などの電気信号を音波に変換する機能を備え、マイクなどに連結して音声を電気的に拡大して伝達するようにしたものも広く使われている。
【０００３】
また携帯型メガホンでは、両手で他の動作ができるようにしたもの即ちハンズフリータイプのものとして、拡声管を肩から吊り下げて保持するものなどが知られている。
【０００４】
しかし、この種メガホンで比較的大きい音声を出すためには、拡声管が長くならざるを得ずまた先が大きくラッパ状に開いているため、これを肩から吊り下げた場合安定が悪く、両手の自由度やその動作がかなり制約される。
また音声を遠くまで伝えるために拡声管を太く長くした場合は、重量も重くなるのでこれを長時間肩から吊り下げると肩が凝るなどの問題もある。
【０００５】
特に自ら手や体を動かしながら児童や学生の体育指導や踊りの指導をする場合などには、前記肩から吊り下げる方式では手でメガホン本体を介添えする必要があり、完全なハンズフリーは難しいのが実情である。
【０００６】
また両手の自由度を確保するために、頭部や腰部に小型の拡声器を装着する方式のもの（登録意匠第１１７５２３１号、実開Ｈ６−３１２９１号など）も提案されているが、図でも判るようにその拡声部は構造上短くならざるを得ず、音量もそれ程大きくできない構造となる。従って室内や近距離での利用には適するが、運動場など広い範囲への音声伝達には不向きである。
【特許文献１】実開平６−３１２９１号
【特許文献２】登録意匠第１１７５２３１号
【考案の開示】
【考案が解決しようとする課題】
【０００７】
この考案は以上の問題点に鑑み、音声を大きく拡大できるラッパ型の拡声管の特長を生かした状態で、完全なフリーハンドを確保し且つ運動や走行しながらでも広い範囲まで音声を伝達できるボデイフィット型の新規なメガホンを提供するものである。
【課題を解決するための手段】
【０００８】
上記課題を解決するために、先広がりの筒状の中空拡声管をその長さ方向に沿って半円弧状に湾曲させた形状とし、拡声管自体を人体胴部に巻きつけた状態で保持するという発想を提案したものである。
これにより大型メガホンでも腰部に完全にフィットした状態に装着できるので、指導者は何らの違和感もなく自由な体位で、また手足で他の動作をしながらメガホンを扱うことができる。
【０００９】
第２の考案として、中空の筒状拡声管をその長さ方向に沿って半円弧状に湾曲させてなる胴部装着用ハンズフリーメガホンと、頭部に装着するヘッドセット型マイクロホンとを組み合わせたハンズフリー拡声装置の組み合わせセット商品を提供するものである。
【００１０】
実施態様として、前記筒状拡声管の開放端周縁部を容易に変形する柔軟な部材で構成することによって安全性を重視した携帯用ハンズフリーメガホンを提供する。
【００１１】
更に前記拡声管の外側に、音声信号の入力端子、増幅・制御回路及びこれらの電源部を収容した制御ボックスを装備させ、片手で簡単に音量を調節したり、音楽や電子ピストルなどのスタータ音などの外部信号を利用できるようにしたハンズフリーメガホンを提供する。
【考案の効果】
【００１２】
本考案によれば、比較的大きな音を出せるラッパ型メガホンの特長を生かしこれをそのまま腰部にフィットできるようにしたので、違和感なく快適に装着できる外、運動や走行中でも拡声管を手で介添えする必要が全くないので、児童や幼児のスポーツや球技指導、サッカーのレフェリーなど自ら運動しながら両手で他の動作を表現しなければならない場合でもメガホンの機能を完全に達成できる。
又外部の音楽や電子ピストルの音声も、この腰部装着型メガホンで拡声して伝達できるなどメガホンとしての実用性も向上する。
【考案を実施するための最良の形態】
【００１３】
以下図面に基いてこの考案の実施例の構造および動作を説明する。
図１の実線部は本考案のハンズフリーメガホンの斜視図で、１は硬質プラスチック管を半円弧状に湾曲させて構成した拡声管、２は振動板などマイクからの音声電気信号を音波に変換する音声発信部、３は音声発射部（出口部）、４は音声信号の制御部で音声信号入力端子Ｔ１、外部入力端子Ｔ２、音量調節およびオン・オフボリュウムつまみＶ、警報音のオン・オフ スイッチＳ１，マイク信号のオン・オフ スイッチＳ２が設けられており、内部には図示を省略したがこれら信号の増幅回路・制御回路が収容され、その信号出力は音声放射部３へ伝えられるように結線されている。尚Ｐはこれら制御回路の付勢用電池挿入穴で、各制御回路はこの電池で駆動される。外部入力端子Ｔ２はこのメガホンでＣＤプレイヤーなどからの音楽信号を伝達する場合の端子、Ｓ１はサイレンなどの警報音をこのメガホンで伝達する場合のスイッチで、これらは必要に応じて装備するものである。尚前記Ｔ２にはＣＤプレイヤーの代わりに運動競技で使われる電子ピストルなどの出力を取り込むようにすることもできる。尚この拡声管１は軽金属などで成形してもよい。
【００１４】
３’は、本実施例において特に配慮した部分で、末広がりとなっている拡声管の出口部付近をエラストマー（例えばポリプロピレン）などの軟質部材で構成した。これにより広くなっている先端部が何かに衝突した場合でも人体への衝撃は少なく、またグニャッと押し潰される状態となるので安全性も高まる。
【００１５】
５、５’は拡声管１の外側に取り付けられたフックで、これを腰ベルトＢに係止することによって、円弧状拡声管１を図２に示すように腰周りに巻き付けた状態で安定的に違和感なく保持できる。音声の出口部３が図のように腹部の中央になるように取り付ければ、指導者の音声はお腹の中央から正面に向かって発声することができ両手で各種の指示を動作で表現できるなど、ハンズフリーの特長を十分発揮できる。
【００１６】
尚図１に仮想線で示したＭ、Ｃは頭部に装着するヘッドセットタイプのマイクロホンセットで、音声を吹き込むマイクＭは口元に配置される。Ｃは信号中継器で、マイクからの信号を出力端子Ｔへ中継するとともに図では省略したが適当なバンドで頭の部分に取り付ける。図の場合はマイクの出力端子Ｔを拡声管１の制御部４の音声入力端子Ｔ１へ接続する例を示したが、マイクＭの信号は無線で制御部へ伝達するようにしても良い。またマイクへの発声音を自分の耳で聞く場合は中継器Cからイヤホーンや録音器へ接続してもよい。
【００１７】
図２は、本実施例のハンズフリーメガホンとヘッドセットマイクロホンとをセットとして使用する場合の説明図で、拡声管を右利きの人が制御し易いように右腰部に取り付けた例である。音声は出口３から人間の前方に放射されるので、人自身が向きを変えるだけで手の介添えなしに望む方向に肉声を伝達することができる。
ヘッドセットマイクを用いる代わりに、片手に余裕がある場合などには、片手でハンドマイクを握ってその出力を腰部に装着したメガホンに接続して使用しても良いのは当然である。
【００１８】
図３は、実施例の拡声管の断面図で、音声発信部２には図のように振動板６とその駆動部７が内臓され、ヘッドセットマイクロホンからの音声信号が制御部（図１の４）で適当な大きさに増幅され、駆動部７を介して振動板６に伝達され音波を発声する。この音波は拡声管１内で反射・共鳴を繰り返して増強され出口３から放射される。音声の大きさは制御部のボリュウムを調整することにより任意に調節できる。図の仮想線は人体の胴部を模式的に示したものである。
図では拡声管は胴体の約半周に巻きつく大きさの例を示したが、より遠くまで音声を伝え得る長い拡声管の場合には、胴体の２／３程度まで巻きつけ得るようにしても全く問題はない。
【００１９】
以上実施例では、拡声管の一方側に音声発信部を設け他方側から拡大した音声を放射する構造の例について説明したが、音声発信部を中央に設け両側から音声を放射できるように両開きの拡声管とし、これを半円弧状に湾曲させて胴体に巻き付けるようにしてもよく、このようにすれば前後または左右両側から音声を伝達することができる。
【００２０】
また実施例では、拡声管の外側部に制御ボックスを取り付けこの部分に信号制御回路やその付勢電源を収容するようにしたが、拡声管全体を軽くするために信号制御ボックスを別にして、近くの固定台に設置しておき、その出力を全て無線または超音波で拡声管の音声発信部に伝達するようにしても良い。
【００２１】
以上本考案の基本思想は、筒状の中空拡声管をその長さ方向に沿って円弧状に湾曲させたメガホン形状を提供したこと、この胴部に装着し得る円弧状メガホンと頭部に装着し得るヘッドセットマイクとの組み合わせセットを実用性のある製品として提供したことであって、この思想に基いて各種の変形例・応用例が展開できる。
【図面の簡単な説明】
【００２２】
【図１】この考案実施例のハンズフリーメガホンの斜視図で、ヘッドセットマイクロホンとの接続関係を仮想線で示した。
【図２】この考案に係るハンズフリーメガホンとヘッドセットマイクとを実際に人体に取り付けた状態を示す模式図である。
【図３】本考案実施例の拡声管の断面図である。
【符号の説明】
【００２３】
１．拡声管
２．音声発信部
３．音声出口部
３’  柔軟部材で構成された拡声管の音声出口部
４．号制御部
５．５’腰ベルトに装着するためのフック
６．振動板
７．振動板駆動部
Ｍ，Ｃ  ヘッドセットマイクロホンのセット
Ｔ１．  音声信号入力端子
Ｔ２．  外部信号入力端子
Ｓ１．  警報スイッチ
Ｓ２．  マイクのオン・オフスイッチ
Ｖ．    ボリュームつまみ
Ｂ．    腰ベルト
【図１】
0003124424.tif 000003
【図２】
0003124424.tif 000004
【図３】
0003124424.tif 000005